(57)【要約】【課題】  嵌合状態を保持すると共に、衝突音を２回発生させて嵌合作業の完了を確認する。【解決手段】  可撓部１３，２１と係止突起１５，２３をそれぞれ有するロックアーム９，１１が雌型ハウジング３に設けられ、係止突起１５，２３を係止させて嵌合状態を保つ係止部７が雄型ハウジング５に設けられ、係止突起１５，２３が係止部７に係止すると雄型ハウジング５に衝突して衝突音を２回発生させるコネクタ１であって、係止突起１５，２３を、ハウジング３，５の嵌合操作方向の異なった位置に設けることによって衝突音に所定の時間差を与えた。【選択図】  図１
2010182513.tif 000002
【特許請求の範囲】
【請求項１】
雌型端子金具を収容する雌型ハウジングと雄型端子金具を収容する雄型ハウジングとからなり、前記両ハウジングの一方に可撓部を有するロックアームが設けられ、両ハウジングの他方に前記ロックアームを係止させて前記両端子金具を嵌合状態に保つ係止部が設けられたコネクタであって、
前記ロックアームが、第１ロックアームと第２ロックアームからなり、
第１ロックアームは、前記両ハウジングが嵌合操作されるとき、前記可撓部を撓ませた後、前記係止部に係止する第１係止突起と、前記第１係止突起が前記係止部に係止する際に、撓んだ前記可撓部の弾発力により相手側ハウジングに衝突して衝突音を発生させる第１衝突部とを有し、
第２ロックアームは、前記両ハウジングが嵌合操作されるとき、前記可撓部を撓ませた後、前記係止部に係止する第２係止突起と、前記第２係止突起が前記係止部に係止する際に、撓んだ前記可撓部の弾発力により相手側ハウジングに衝突して衝突音を発生させる第２衝突部とを有し、
前記第１及び第２の係止突起を、前記両ハウジングの嵌合操作方向の異なった位置に設けたことにより、前記両衝突音の発生タイミングに所定の時間差が与えられていることを特徴とするコネクタ。
【請求項２】
請求項１に記載された発明であって、
前記第１ロックアームと第２ロックアームの内、
２度目の衝突音を発生させるロックアームの前記嵌合操作方向と直交する幅が、他方のロックアームの幅より広いことを特徴とするコネクタ。
【請求項３】
請求項１または請求項２に記載された発明であって、
前記第１ロックアームに、前記両ハウジングの嵌合を解除する際に押圧操作される第１操作部が設けられ、
前記第２ロックアームに、前記両ハウジングの嵌合を解除する際に押圧操作される第２操作部が設けられ、
前記第１操作部と第２操作部の操作方向の高さが、同一であることを特徴とするコネクタ。
【請求項４】
請求項１または請求項２に記載された発明であって、
前記第１ロックアームと第２ロックアームの一方に、前記両ハウジングの嵌合を解除する際に押圧操作される操作部が設けられ、
前記第１ロックアームと第２ロックアームの間に、前記両ハウジングの嵌合を解除する際、前記操作部を押圧操作するときは他方のロックアームを押圧して連動操作するが、前記第１ロックアームと第２ロックアームの他方が押圧されるときは一方のロックアームから離間して連動しない押圧連動部が設けられていることを特徴とするコネクタ。
【請求項５】
請求項４に記載された発明であって、
前記押圧連動部が、前記一方のロックアーム側に設けられた切り欠き部と、前記他方のロックアーム側に設けられ、前記切り欠き部に貫入する凸部とからなり、
一方のロックアームの前記操作部を押圧操作するときは、前記切り欠き部が前記凸部と接触し、前記他方のロックアームを押圧操作するときは、前記凸部が前記切り欠き部から離間することを特徴とするコネクタ。
【請求項６】
請求項１〜請求項５のいずれかに記載された発明であって、
前記第１ロックアームと第２ロックアームとに、
前記第１ロックアームの第１係止突起が前記係止部に係止し、前記第２ロックアームの第２係止突起が前記係止部に係止すると、互いの位置が一致する合いマークが設けられていることを特徴とするコネクタ。
【発明の詳細な説明】
【技術分野】
【０００１】
本発明は、雌型と雄型の端子金具を収容し嵌合させるコネクタに関する。
【背景技術】
【０００２】
特許文献１に「コネクタ」が記載されている。
【０００３】
図５のように、このコネクタ２０１は、雄型の端子金具２０３を収容するコネクタハウジング２０５と、雌型の端子金具２０７を収容するコネクタハウジング２０９から構成されており、コネクタハウジング２０９をコネクタハウジング２０５のフード部２１１に装着すると、端子金具２０７と端子金具２０３が嵌合して電気的に接続される。
【０００４】
フード部２１１にはロック孔２１３が設けられ、コネクタハウジング２０９にはロック孔２１３に係止して端子金具２０３，２０７を嵌合状態に維持するロック突部２１５が設けられている。このロック突部２１５はロックアーム本体２１７に設けられており、ロックアーム本体２１７の両側には一対の撓み片２１９が設けられ、ロックアーム本体２１７と各撓み片２１９は同一の可撓部２２１を共有している。
【０００５】
各撓み片２１９には打撃突部２２３が設けられており、各打撃突部２２３と上記のロック突部２１５は嵌合方向の異なった位置に設けられ、図５（ｂ）のように、各打撃突部２２３の上面はロックアーム本体２１７の上面２２５より丈高に形成されている。ロック突部２１５がロック孔２１３に係止し、端子金具２０３と端子金具２０７の嵌合が正常に行われると、丈高の各打撃突部２２３がフード部２１１の内壁２２７と衝突して最初の打撃音を発生させ、次いで、ロックアーム本体２１７の上面２２５が内壁２２７と衝突して次の打撃音を発生させる。
【０００６】
このように打撃音を２回発生させることによって、騒がしい環境の中でも、作業者はコネクタ２０１（端子金具２０３，２０７）が嵌合したことを検知する。
【先行技術文献】
【特許文献】
【０００７】
【特許文献１】特開２００６−１９６２２７号公報
【発明の概要】
【発明が解決しようとする課題】
【０００８】
しかし、上記の従来例では、ロックアーム本体２１７と各撓み片２１９が同一の可撓部２２１を共有しており、一方に働く力はこの可撓部２２１を介して他方に影響する。また、打撃突部２２３は、ロック突部２１５がロック孔２１３と係止した状態で、その上面がフード部２１１の内壁２２７に接している上に、上記のようにその上面がロックアーム本体２１７の上面２２５より高くなっているから、その高さの差だけ各撓み片２１９（可撓部２２１）が撓んでおり、これらの撓みによる弾発力がロックアーム本体２１７を介してロック突部２１５をロック孔２１３との係止を解除させる方向に働く。
【０００９】
従って、車両の走行中などに振動を受けると、ロック突部２１５とロック孔２１３との係止（ロック）が解除され易く、その結果、コネクタ２０１を嵌合状態に保持することができず、端子金具２０３，２０７の接続が外れる恐れが生じる。
【００１０】
また、上記の２回の打撃音は、同一の可撓部２２１上に形成された各撓み片２１９の打撃突部２２３と、ロックアーム本体２１７の上面２２５とによってそれぞれ発生するものであり、従って、打撃音と打撃音との時間間隔が極めて短く、作業者には１回の打撃音として聞こえる恐れがあり、コネクタ２０１の嵌合が正常に行われたことを確認することはそれだけ難しい。
【００１１】
また、打撃音の時間間隔を長くするためには、各打撃突部２２３を丈高にする必要があるが、それに伴ってロック突部２１５とロック孔２１３との係止を解除する上記のような力が大きくなり、ロックがさらに解除され易くなる恐れがある。
【００１２】
そこで、この発明は、嵌合状態を保持すると共に、所定のタイミングで衝突音を２回発生させ、嵌合作業が完了したことを明確に確認することができるコネクタの提供を目的としている。
【課題を解決するための手段】
【００１３】
請求項１のコネクタは、雌型端子金具を収容する雌型ハウジングと雄型端子金具を収容する雄型ハウジングとからなり、前記両ハウジングの一方に可撓部を有するロックアームが設けられ、両ハウジングの他方に前記ロックアームを係止させて前記両端子金具を嵌合状態に保つ係止部が設けられたコネクタであって、前記ロックアームが、第１ロックアームと第２ロックアームからなり、第１ロックアームは、前記両ハウジングが嵌合操作されるとき、前記可撓部を撓ませた後、前記係止部に係止する第１係止突起と、前記第１係止突起が前記係止部に係止する際に、撓んだ前記可撓部の弾発力により相手側ハウジングに衝突して衝突音を発生させる第１衝突部とを有し、第２ロックアームは、前記両ハウジングが嵌合操作されるとき、前記可撓部を撓ませた後、前記係止部に係止する第２係止突起と、前記第２係止突起が前記係止部に係止する際に、撓んだ前記可撓部の弾発力により相手側ハウジングに衝突して衝突音を発生させる第２衝突部とを有し、前記第１及び第２の係止突起を、前記両ハウジングの嵌合操作方向の異なった位置に設けたことにより、前記両衝突音の発生タイミングに所定の時間差が与えられていることを特徴とする。
【００１４】
請求項２の発明は、請求項１に記載されたコネクタであって、前記第１ロックアームと第２ロックアームの内、２度目の衝突音を発生させるロックアームの前記嵌合操作方向と直交する幅が、他方のロックアームの幅より広いことを特徴とする。
【００１５】
請求項３の発明は、請求項１または請求項２に記載されたコネクタであって、前記第１ロックアームに、前記両ハウジングの嵌合を解除する際に押圧操作される第１操作部が設けられ、前記第２ロックアームに、前記両ハウジングの嵌合を解除する際に押圧操作される第２操作部が設けられ、前記第１操作部と第２操作部の操作方向の高さが、同一であることを特徴とする。
【００１６】
請求項４の発明は、請求項１または請求項２に記載されたコネクタであって、前記第１ロックアームと第２ロックアームの一方に、前記両ハウジングの嵌合を解除する際に押圧操作される操作部が設けられ、前記第１ロックアームと第２ロックアームの間に、前記両ハウジングの嵌合を解除する際、前記操作部を押圧操作するときは他方のロックアームを押圧して連動操作するが、前記第１ロックアームと第２ロックアームの他方が押圧されるときは一方のロックアームから離間して連動しない押圧連動部が設けられていることを特徴とする。
【００１７】
請求項５の発明は、請求項４に記載されたコネクタであって、前記押圧連動部が、前記一方のロックアーム側に設けられた切り欠き部と、前記他方のロックアーム側に設けられ、前記切り欠き部に貫入する凸部とからなり、一方のロックアームの前記操作部を押圧操作するときは、前記切り欠き部が前記凸部と接触し、前記他方のロックアームを押圧操作するときは、前記凸部が前記切り欠き部から離間することを特徴とする。
【００１８】
請求項６の発明は、請求項１〜請求項５のいずれかに記載されたコネクタであって、前記第１ロックアームと第２ロックアームに、前記第１ロックアームの第１係止突起が前記係止部に係止し、前記第２ロックアームの第２係止突起が前記係止部に係止すると、互いの位置が一致する合いマークが設けられていることを特徴とする。
【発明の効果】
【００１９】
請求項１のコネクタは、相手側ハウジングの係止部に係止突起が係止すると  衝突音を発生させる衝突部を第１ロックアームと第２ロックアームに設けると共に、各係止突起を両ハウジングの嵌合操作方向の異なった位置に設けたことによって衝突音と衝突音との発生タイミングに所定の時間差を与えたので、作業者は、騒がしい環境の中でも２回の衝突音を明確に検知し、嵌合が正常に行われたことを確認できる。
【００２０】
また、衝突音の時間差は、各係止突起の位置（間隔）を変えることによって随意に調整可能であり、所望の時間差を与えることができる上に、従来例と異なって、時間差を長くしても係止（ロック）が解除され易くなる恐れはない。
【００２１】
また、第１と第２のロックアームの間で、他方の係止を解除させる力が生じないから、従来例と異なって、車両の走行中などに振動を受けてもロック状態（端子金具の嵌合状態）を保持することができる。
【００２２】
請求項２のコネクタは、請求項１の構成と同等の効果が得られる。
【００２３】
また、コネクタが嵌合状態にあるときは、２度目の衝突音を発生させるロックアームの係止突起が係止部に係止して嵌合状態を保持しているから、このロックアーム（係止突起）の幅を広くしたことによってコネクタのロック機能が強化され、振動などによるロック解除の恐れがさらに低減される。
【００２４】
請求項３のコネクタは、請求項１または請求項２の構成と同等の効果が得られる。
【００２５】
また、第１ロックアームの第１操作部と第２ロックアームの第２操作部は、その操作方向位置が揃っていればコネクタの嵌合が完了したことを、揃っていなければ嵌合が未完了であることを示しており、このように、各操作部は嵌合が完了したか否かを示すインジケータとしても利用できるから、第１操作部と第２操作部の高さを操作方向に同一にしたことによって、このインジケータ機能が向上し、嵌合が完了したか否かをさらに検知し易くなる。
【００２６】
請求項４のコネクタは、請求項１または請求項２の構成と同等の効果が得られる。
【００２７】
また、ハウジングの嵌合を解除する際に押圧操作される操作部を一方のロックアームに設けると共に、上記の操作部を押圧すると他方のロックアーム側と接触し、連動して係止を解除させるが、他方のロックアーム側を押圧すると一方のロックアームから離間して連動しない押圧連動部を第１と第２のロックアームの間に設けたことにより、一方の操作部を押圧操作するだけで係止を簡単に解除することができる。
【００２８】
また、他方のロックアームで操作部を省略することが可能になり、それだけコストが低減される。
【００２９】
請求項５のコネクタは、一方のロックアームに設けた切り欠き部と、他方のロックアームに設けられこの切り欠き部に貫入する凸部とによって押圧連動部が構成されており、操作部（一方のロックアーム）を押圧操作するときは切り欠き部が凸部を押圧し、他方のロックアームを押圧操作するときはこの凸部が切り欠き部から離間することによって、請求項４の構成と同等の効果が得られる。
【００３０】
請求項６のコネクタは、請求項１〜請求項５の構成と同等の効果が得られる。
【００３１】
また、第１と第２のロックアームに、それぞれの係止突起が係止部に係止すると互いの位置が一致する合いマーク（例えば、位置が一致すると１本の直線になるスリット）を設けたので、嵌合が完了したか否かを容易に知ることができる。
【図面の簡単な説明】
【００３２】
【図１】コネクタ１の構成を示す斜視図である。
【図２】コネクタ１を構成する雌型ハウジング３を示す斜視図である。
【図３】雌型ハウジング３と雄型ハウジング５とを嵌合させた状態を示すコネクタ１の断面図である。
【図４】コネクタ１０１を示す斜視図である。
【図５】（ａ）は従来のコネクタ２０１を構成するコネクタハウジング２０５の断面図で、（ｂ）は従来のコネクタ２０１を構成するコネクタハウジング２０９の断面図である。
【発明を実施するための形態】
【００３３】
以下、本発明に係るコネクタの実施例について説明する。
【実施例１】
【００３４】
図１〜図３によってコネクタ１の説明をする。
【００３５】
本実施形態のコネクタ１は、雌型端子金具を収容する雌型ハウジング３と雄型端子金具を収容する雄型ハウジング５とからなり、雌型ハウジング３（ハウジング３，５の一方）に可撓部を有する下記のロックアームが設けられ、雄型ハウジング５（ハウジング３，５の他方）にロックアームを係止させて両端子金具を嵌合状態に保つ係止孔７（係止部）が設けられている。
【００３６】
ロックアームが、第１のロックアーム９と第２のロックアーム１１からなり、ロックアーム９は、ハウジング３，５が嵌合操作されるとき、その可撓部１３を撓ませた後、係止孔７に係止するロックビーク１５（第１係止突起）と、ロックビーク１５が係止孔７に係止する際に、撓んだ可撓部１３の弾発力によって、雄型ハウジング５に設けられた嵌合フード１７（相手側ハウジング）の内壁面に衝突して衝突音を発生させる上面１９（第１衝突部）とを有している。
【００３７】
ロックアーム１１は、ハウジング３，５が嵌合操作されるとき、可撓部２１を撓ませた後、係止孔７に係止するロックビーク２３（第２係止突起）と、ロックビーク２３が係止孔７に係止する際に、撓んだ可撓部２１の弾発力により嵌合フード１７（相手側ハウジング）の内壁面に衝突して衝突音を発生させる上面２５（第２衝突部）とを有し、ロックビーク１５，２３を、ハウジング３，５の嵌合操作方向２７（図２）の異なった位置２９，３１（図３）に設けたことにより、両衝突音の発生タイミングに所定の時間差が与えられている。
【００３８】
また、ロックアーム９には、ハウジング３，５の嵌合を解除する際に押圧操作される第１操作部３３が設けられ、ロックアーム１１には、ハウジング３，５の嵌合を解除する際に押圧操作される第２操作部３５が設けられ、第１操作部３３と第２操作部３５は操作方向の高さ３７（図３）を同一にされている。
【００３９】
雌型ハウジング３は２箇の収容部３９に雌型端子金具を収容し、雄型ハウジング５は２箇の収容部に雄型端子金具を収容しており、ロックアーム９，１１のロックビーク１５，２３には嵌合操作方向２７側に斜面４１，４３（図２）がそれぞれ形成されている。
【００４０】
図３のように、雌型ハウジング３を雄型ハウジング５の嵌合フード１７に装着すると、ロックビーク１５，２３の斜面４１，４３が嵌合フード１７の内周に当たり、ロックアーム９，１１の可撓部１３，２１を撓ませた後、先ず、嵌合操作方向２７に先行形成されたロックビーク１５が係止孔７に係止し、雌型端子金具と雄型端子金具とが導通すると共に、撓んだ可撓部１３の弾発力により上面１９が嵌合フード１７の内壁面に衝突して最初の衝突音を発生させ、次いで、嵌合操作方向２７に後行形成されたロックビーク２３が係止孔７に係止し、ハウジング３，５の嵌合が完了すると共に、撓んだ可撓部２１の弾発力により上面２５が嵌合フード１７の内壁面に衝突して２回目の衝突音を発生させる。
【００４１】
コネクタ１は、ロックアーム９，１１のロックビーク１５，２３を異なった位置２９，３１に設けたことによって衝突音の発生タイミングに所定の時間差を与えたので、作業者は、騒がしい環境の中でも２回の衝突音を明確に検知し、嵌合が正常に行われたことを確認することができる。
【００４２】
また、従来例と異なって、ロックアーム９，１１の間に他方の係止を解除させる力が生じないから、車両の走行中などに振動を受けてもロック状態（端子金具の嵌合状態）を保持することができる。
【００４３】
また、衝突音の時間差は、ロックビーク１５，２３の位置を変えることによって随意に調整可能であり、最適な間隔にすることができる上に、従来例と異なって、時間差を長くしてもロックが解除され易くなる恐れはない。
【実施例２】
【００４４】
図４によってコネクタ１０１の説明をする。以下、実施例１と同一の機能部及び機能部材には同一の符号を付して説明し、重複する説明文は省略する。
【００４５】
コネクタ１０１は、雌型端子金具を収容する雌型ハウジング１０３と雄型端子金具を収容する雄型ハウジング５とからなり、雌型ハウジング１０３（ハウジング１０３，５の一方）に可撓部を有する下記のロックアームが設けられ、雄型ハウジング５（ハウジング１０３，５の他方）にロックアームを係止させて両端子金具を嵌合状態に保つ係止孔７（係止部）が設けられている。
【００４６】
ロックアームが、第１のロックアーム１０５と第２のロックアーム１０７からなり、ロックアーム１０５は、ハウジング１０３，５が嵌合操作されるとき、その可撓部１０９を撓ませた後、係止孔７に係止するロックビーク１１１（第１係止突起）と、ロックビーク１１１が係止孔７に係止する際に、撓んだ可撓部１０９の弾発力によって、雄型ハウジング５に設けられた嵌合フード１７（相手側ハウジング）の内壁面に衝突して衝突音を発生させる上面１１３（第１衝突部）とを有している。
【００４７】
ロックアーム１０７は、ハウジング１０３，５が嵌合操作されるとき、可撓部１１５を撓ませた後、係止孔７に係止するロックビーク１１７（第２係止突起）と、ロックビーク１１７が係止孔７に係止する際に、撓んだ可撓部１１５の弾発力により嵌合フード１７（相手側ハウジング）の内壁面に衝突して衝突音を発生させる上面１１９（第２衝突部）とを有し、ロックビーク１１１，１１７を、ハウジング１０３，５の嵌合操作方向２７の異なった位置に設けたことにより、両衝突音の発生タイミングに所定の時間差が与えられている。
【００４８】
また、ロックアーム１０５（一方のロックアーム）には、ハウジング１０３，５の嵌合を解除する際に押圧操作される操作部１２１と、切り欠き部１２３（押圧連動部）が設けられ、ロックアーム１０７（他方のロックアーム）には切り欠き部１２３に貫入する凸部１２５（押圧連動部）が設けられており、操作部１２１を押圧操作すると切り欠き部１２３が凸部１２５と接触し、ロックアーム１０５，１０７が連動で押下されてロックが解除されるが、ロックアーム１０７を押圧するときは凸部１２５が切り欠き部１２３から離間するので連動押下は行われない。
【００４９】
雌型ハウジング１０３は２箇の収容部３９に雌型端子金具を収容しており、ロックビーク１１１，１１７には嵌合操作方向２７側に斜面が形成されている。
【００５０】
雌型ハウジング１０３を雄型ハウジング５の嵌合フード１７に装着すると、ロックビーク１１１，１１７の上記各斜面が嵌合フード１７の内周に当たり、ロックアーム１０５，１０７の可撓部１０９，１１５を撓ませた後、先ず、嵌合操作方向２７に先行形成されたロックビーク１１１が係止孔７に係止し、雌型端子金具と雄型端子金具とが導通すると共に、撓んだ可撓部１０９の弾発力により上面１１３が嵌合フード１７の内壁面に衝突して最初の衝突音を発生させ、次いで、嵌合操作方向２７に後行形成されたロックビーク１１７が係止孔７に係止し、ハウジング１０３，５の嵌合が完了すると共に、撓んだ可撓部１１５の弾発力により上面１１９が嵌合フード１７の内壁面に衝突して２回目の衝突音を発生させる。
【００５１】
コネクタ１０１は、ロックアーム１０５，１０７に切り欠き部１２３と凸部１２５からなる押圧連動部を設けたことにより、操作部１２１を押圧するだけで簡単にロックを解除できる。
【００５２】
また、ロックアーム１０７側で操作部が不要になるから、それだけコストが低減される。
【実施例３】
【００５３】
図４のコネクタ１０１では、ロックアーム１０５の幅１３１（嵌合操作方向２７に直交する幅）がロックアーム１０７の幅１３３より広くなっているが、ロックアーム１０５のロックビーク１１１を、ロックアーム１０７のロックビーク１１７より嵌合操作方向２７に後行形成すれば、ロックアーム１０５が２度目の衝突音を発生させる（雄型ハウジング５の係止部７に係止する）ロックアームになるから、ロックアーム１０５（ロックビーク１１１）を幅広にしたことにより、ロック機能が強化され、振動などによるロック解除の恐れがさらに低減される。
【実施例４】
【００５４】
図４において、ロックアーム１０５，１０７の端部に破線で描いたように、ロックビーク１１１，１１７が雄型ハウジング５の係止部７に係止すると互いの位置が一致するスリット１５１，１５３（合いマーク）を設ければ、端子金具の嵌合が完了したか否かを容易に知ることができる。
【符号の説明】
【００５５】
１  コネクタ
３  雌型ハウジング
５  雄型ハウジング
７  雄型ハウジング５の係止孔（係止部）
９  第１ロックアーム
１１  第２ロックアーム
１３，２１  可撓部
１５  ロックビーク（第１係止突起）
１７  雄型ハウジング５の嵌合フード
１９  上面（第１衝突部）
２３  ロックビーク（第２係止突起）
２５  上面（第２衝突部）
２７  嵌合操作方向
３３  第１操作部
３５  第２操作部
３７  第１操作部３３と第２操作部３５の高さ
１０１  コネクタ
１０３  雌型ハウジング
１０５  第１ロックアーム
１０７  第２ロックアーム
１０９，１１５  可撓部
１１１  ロックビーク（第１係止突起）
１１３  上面（第１衝突部）
１１７  ロックビーク（第２係止突起）
１１９  上面（第２衝突部）
１２１  ロックアーム１０５の操作部
１２３  ロックアーム１０５の切り欠き部（押圧連動部）
１２５  ロックアーム１０７の凸部（押圧連動部）
１５１，１５３  スリット（合いマーク）
【図１】
2010182513.tif 000003
【図２】
2010182513.tif 000004
【図３】
2010182513.tif 000005
【図４】
2010182513.tif 000006
【図５】
2010182513.tif 000007